(57)【要約】【課題】  従来の定期券・カード入れ並びに携帯電話などのケースは、使用頻度が高い割には利用の状況にかかわりなく個別にカバンやポケットなどに入れて使われてきたため、使うときに手間取ったり失念や紛失も多く問題があった。さらに、携帯電話の着信に気がつかないこともある。【解決手段】  定期券やカード類を入れる薄いケースと携帯電話などを入れるケースをリスト・バンドで一体化し、手首の部分に装着することで失念や紛失を防止すると共に定期券や使うカードの種類を目で見て確認しながら使用できるようにして解決を図った。また、携帯電話は、片手で出し入れ可能なケースに入れて手首の部分に装着しておけばいつでも簡単に使うことができる。着信も手首部分にあるため失念することがない。さらに、ケースの底の部分をバネの構造にすると携帯電話がキャップを開けたとたん出てくる。【選択図】図２
2008259800.tif 000002
【特許請求の範囲】
【請求項１】
手首に装着して使うためのリスト・バンドの一方に定期券やキップなど比較的薄いカード類を収められるケースを設け、もう片方の側に指で開閉できるようにした携帯電話などを出し入れ又は収納できるケース部分を設けたリスト・ケース。
【発明の詳細な説明】
【技術分野】
【０００１】本発明は、使用頻度の高いカード類や携帯電話などを手首部分での利用を図ったリスト・ケース
に関する。【０００２】  従来の定期券入れや携帯電話のケースは、定期券入れは定期券などのカード類、携帯電話のケースは携帯電話だけを入れてそれぞれ単独でポケットやカバンなどから出し入れすることにより使用している。【０００３】カード類は、一般的にサイフに入れて出し入れしている。【０００４】小型の音響機器は、通常カバンや専用のケースに入れて使用している。
【発明の開示】
【発明が解決しようとする課題】
【０００５】以上に述べた従来の定期券入れや携帯電話のケースでは、忘れたり、紛失したりすることがある。
特に、携帯電話は、ＪＲ西管内忘れ物７位、タクシー内忘れ物１位（平成１５年度忘れ物年間データより）である。【０００６】従来の定期券入れや携帯電話のケースは、それぞれ単独でポケットやカバンなどから出し入れすることにより使用しているため、急いで出し入れするときには手間取ることが多い。【０００７】カード類は、一般的にサイフに入れて出し入れしているが、よく使うカードも都度ポケットやバッグなどに入れたサイフから出し入れしている。【０００８】小型の音響機器は、操作をするときに通常カバンや専用のケースから取り出している。【０００９】携帯電話のメールや電話の着信があったときポケットやカバンなどに入れていると気がつかないこともある。【００１０】携帯電話を入れたままバッグやカバンを盗まれると緊急に連絡ができない。【００１１】本発明は、このようなそれぞれのケースが有していた問題を解決しようとするものであり、手首に装着するためのリスト・バンドに設けた２つのケースで定期券や携帯電話などの失念や紛失などを防ぎ、それらを手首部分で利用できるように実現することを目的とするものである。
【課題を解決するための手段】
【００１２】  そして、本発明は上記目的を達成するために手首に装着するリスト・バンドに２つケースを設け一方に定期券などのカード類を収納できる薄いケース、もう片方に指で開閉できて且つ出し入れのできる携帯電話などの収納ケースを設けたものである。【００１３】  定期券などのカード類や携帯電話などを手首部分に装着しているそれぞれのケースに入れていることで失念や紛失を防げる。また、ポケットやカバンなどから取り出して使うよりも操作や利用が比較的早く且つ簡単である。特に、携帯電話のメールや電話をバイブにした状態でメールや電話の着信があった場合にはその振動が手首に伝わるため失念を防げる。さらに、カバンやバッグ類の盗難にあっても携帯電話が手元にあれば警察への通報が可能である。
【発明の効果】
【００１４】  上述したように本発明のリスト・ケースは手首部分に装着するため、定期券などのカード類や携帯電話などの失念や紛失を防止すると共に操作や利用が比較的早く且つ簡単になり、バイブモードの携帯電話のメールや電話の着信も手首への振動で失念することがないリスト・ケースを提供することができる。【００１５】また、カバンやバッグ類に入れないため盗難や引ったくりなど何らかのトラブルがあっても携帯電話が手元にあれば警察などへの緊急通報が可能である。
【発明の実施するための最良の形態】
【００１６】  以下、本発明の実施の形態を図１〜図２に基づいて説明する。
【００１７】  図１においては、１は手首の内側のケースの開閉操作部分で、ケースの開閉キャップ２  ケースのフレーム（縦１２ｃｍ，横６ｃｍ，高さ３ｃｍ）３、ケースを設けるリスト・バンド４、図２においては、定期券やカード類を収納するケース５、中に入れた物の出し入れをスムーズにするためのボード６、ケースからの落下防止の紐７。
【００１８】  定期券やカード類の収納ケース５は、手首の表部分になるためカード類が数枚入る程度の大きさと薄さのケースでリスト・バンドと一体化して歪曲するような柔軟性のある素材を使用する。
【００１９】  リスト・バンド４の手首の内側には、ケースの重さと携帯電話などの重量がかかるためリスト・バンドの幅をケースの半分程度の６ｃｍ程度にして手首の内側に装着したケースを固定する。
【００２０】  携帯電話などを入れるケースの開閉は装着した側の指でキャップ２の中央部分を押すことで使用する素材の弾力性を活用して行う。ケース内部の底の部分には、中に入れた物の出し入れをスムーズにするためのボード６を設け、ケースのカバーの部分はケースの中が見えるように透明にする。また、ケースに入っているものを落とさないようにするためケースの裏側の上部に紐を通せる穴を開けておきケースと携帯電話などを紐７でつなぐ。
【００２１】  以下、上記構成の動作を説明する。手首の甲の側のケース５には、カードの種類を認識できる程度の深さで個別に数枚同一方向に収まるように入れておく。このケースは、リスト・バンド４にある程度一体化して歪曲することでケースから抜け落ちることを防ぐ役割を果たす。また、手首の部分にカードがあるためその存在を目で確かめながら比較的素早く使うことができる。
【００２２】  もう一方の手首の内側のリスト・バンド４に設けたケースは、携帯電話などが収まる程度の大きさとする。開閉は、装着している側の指でできる。ケースから取り出すときは、まず手を下に下げてその手の人差し指と薬指でキャップ２の真ん中辺を押してケースを開けて携帯電話などが出てきたところを手の平に収める。ケースに収めるときは、手を肘よりも上に上げて手の平からケースに入れてキャップ２をその手の指で閉める。
【００２３】  ケースから携帯電話などが落下しないように、同ケースの裏側の上の部分に紐７を通して携帯電話などに結びつける。また、失念や紛失も防止できる。
【００２４】  携帯電話などが手首の部分にあるため出し入れがカバンやポケットなどから出し入れするよりも比較的早くできる。また、メールや電話の着信があった場合は、着信音にせずバイブに設定するとその振動が手首に伝わるため失念を防ぐことができる上、周囲に迷惑をかけることなくすぐに応答できる。また、音響機器も手元にあると操作しやすくなる。
【００２５】  ケースの上部のフレームの中央部分は透明のため、携帯電話の日付や時間を見ることができる。
【実施例】
【００２６】類似品がないため実施例なし。
【産業上の利用可能性】
【００２７】    電車や地下鉄などの乗り物がカード一枚に集約されてきている現状では、乗換するたびに同じカードを何度もカバンやポケットから出し入れすることになる。それに対して、そのカードを手首部分に納めておけば出し入れせずに利用することもできるため鉄道利用の利便性の向上に貢献できる。【００２８】  防犯や警備の面で貢献できる。引ったくりにあった場合は、カバンやバッグを盗まれても手首部分に携帯電話を装着していれば至急警察に通報できる。また、防犯のため小学生の手首の部分に携帯電話を装着しておけば万が一の時に連絡が取れる可能性がある。
大きなイベントの警備中に、警備員の手首の部分に携帯電話を装着しておけば何かトラブルが起きても連絡を取りやすくなるため警備の強化にもつながる。このように警備産業における警備の質の向上に貢献できる。【００２９】  行楽地に出かけるとき、リュックサックに携帯電話を入れていることが多いが、使うときは取り出すのが大変である。しかし、現在では、携帯ナビがあるため手首の部分に装着して使えばいつでも簡単に使うことができるため、目的地探しの時に便利である。
レジャーを楽しむために携帯を上手に利用することでレジャー産業にも貢献できる。【００３０】携帯電話の機能は日進月歩で進化してきているが、使用上の利便性が向上するとさらに携帯電話業界に高機能で且つ薄型の開発に拍車をかけることになる。また、音響機器業界にとってもさらなる音質の向上や小型化が要求されることになる。
【図面の簡単な説明】
【００３１】
【図１】  リスト・ケースの正面図（携帯電話の例）
【図２】  リスト・ケースの側面図
【符号の説明】
【００３２】１  キャップの開閉操作部分
２  ケースのキャップ
３  ケースのフレーム
４  リスト・バンド
５  定期券やカード類を収納するケース
６  中に入れた物の出し入れをスムーズにするためのケース内部のボード
７  携帯電話などの落下防止用の紐
【図１】
2008259800.tif 000003
【図２】
2008259800.tif 000004